(57)【要約】【課題】自分ひとりで簡単にまつ毛にパーマをかけることができるようにする。【解決手段】本発明のまつ毛パーマ用ロット１は、断面が中実の略円形に形成された柔軟性のあるロープからなるロット本体２と、該ロット本体２の外周面を覆う樹脂製の被覆部３と、該被覆部３の表面に設けられた粘着層４と、ロット本体２の長さ方向の一端側に形成された摘み５とを備えている。被覆部３及び粘着層４は、ロット本体２の外周に両面テープ１０が貼り付けられることにより形成されており、摘み５は、該両面テープ１０がロット本体２の長さ方向の一端側から該長さ方向に延設されてなっている。【選択図】　　　図２
2004024824.tif 000002
【特許請求の範囲】
【請求項１】
断面が中実の略円形に形成された柔軟性のあるロープからなるロット本体と、
該ロット本体の外周面を覆う樹脂製の被覆部と、
該被覆部の表面に設けられた粘着層とを備えたまつ毛パーマ用ロット。
【請求項２】
前記ロット本体の長さ方向の少なくとも一端側に摘みが突設された請求項１記載のまつ毛パーマ用ロット。
【請求項３】
前記被覆部は、前記ロット本体の外周面に貼り付けられた両面テープの基材により形成され、
前記粘着層は、該両面テープの粘着剤により形成された請求項１又は２記載のまつ毛パーマ用ロット。
【請求項４】
前記摘みは、前記両面テープが前記ロット本体の長さ方向の少なくとも一端側から余分に張り出すように設けられることにより形成された請求項３記載のまつ毛パーマ用ロット。
【発明の詳細な説明】
【０００１】
【発明の属する技術分野】
本発明は、まつ毛にコールドパーマをかけるためのまつ毛パーマ用ロットに関するものである。
【０００２】
【従来の技術】
従来のまつ毛パーマ用ロットとしては、まず、特許文献１に開示されたものを例示する。これは、図７（ａ）に示すように、直径１〜２ｍｍ程度、中空あるいは中実な円形あるいは多角形の棒材（プラスチック、木、竹等）の外周に粘着層を設けてロット５０とし、これにまつ毛Ｌを巻き付けて粘着層の粘着力によりまつ毛Ｌを巻き付けた状態に保持し、まつ毛Ｌにパーマネントウェーブをかけることができるようにしている。
【０００３】
また、従来の別のまつ毛パーマ用ロットとして、特許文献２に開示されているものを例示する。このロット５５は、天然ゴム又は合成ゴムからなる弾性体からなり、図７（ｂ）に示すように所定長の円筒体の周面の一部を一端から他端にわたって長さ方向に切り欠いたことを特徴としている。
【０００４】
【特許文献１】
実公昭６３−１００８２号公報
【特許文献２】
実用新案登録第３０５８８３３号公報
【０００５】
【発明が解決しようとする課題】
ところが、まつ毛Ｌは円弧状に湾曲したまぶたＥの縁に生えているので、特許文献１のロット５０では、一本のロット５０でまぶたＥの縁のまつ毛Ｌ全部を巻き付けることができず、図７（ａ）に示すように１〜２ｃｍの長さに形成した二本或いは三本のロット５０を使用する必要がある。このようにロット５０が短いと、まつ毛Ｌを巻き付け難いという問題がある。また、複数本のロット５０にそれぞれまつ毛Ｌを巻き付けなければならないため、手間がかかるという問題がある。
【０００６】
また、特許文献２のロット５５は弾性体からなっているので、接着剤でまぶたにしっかりと付着させておかないと、ロット５０自身の弾性力によって、パーマ中にロット５５がまぶたＥから外れたり、位置がずれたりすることがあり、パーマがうまくできないことがあるという問題がある。
【０００７】
また、特許文献１，２のロット５０，５５は、いずれもまつ毛Ｌを巻き付けた状態において、手で支持するための部位が設けられていないので、まぶたＥの動きとともにロット５０，５５も移動してしまい、まつ毛Ｌへのパーマ液の塗りつけがし難いという問題がある。
【０００８】
本発明の目的は、上記課題を解決し、自分ひとりで簡単にまつ毛にパーマをかけることができるまつ毛パーマ用ロットを提供することにある。
【０００９】
【課題を解決するための手段】
上記目的を達成するために、本発明のまつ毛パーマ用ロットは、断面が中実の略円形に形成された柔軟性のあるロープからなるロット本体と、該ロット本体の外周面を覆う樹脂製の被覆部と、該被覆部の表面に設けられた粘着層とを備えている。
【００１０】
前記被覆部としては、特に限定されないが、樹脂フィルムからなる態様や、樹脂製の皮膜からなる態様等を例示する。
【００１１】
前記まつ毛パーマ用ロットにおいては、前記ロット本体の長さ方向の少なくとも一端側に摘みが突設された態様を例示する。
【００１２】
前記被覆部は、前記ロット本体の外周面に貼り付けられた両面テープの基材により形成され、前記粘着層は、該両面テープの粘着剤により形成された態様を例示する。
【００１３】
前記摘みは、前記両面テープが前記ロット本体の長さ方向の少なくとも一端側から余分に張り出すように設けられることにより形成された態様を例示する。
【００１４】
【発明の実施の形態】
図１〜図５は本発明を具体化した一実施形態のまつ毛パーマ用ロット１を示している。図１及び図２に示すように、このロット１は、柔軟性のあるロープからなるロット本体２と、該ロット本体の外周面を覆う樹脂製の被覆部３と、該被覆部の表面に設けられた粘着層４と、ロット本体の長さ方向の一端側に突設された摘み５とを備えている。
【００１５】
ロット本体２は、断面が中実の略円形に形成されたロープからなっている。ロープとしては、特に限定されないが、樹脂又は植物繊維をより合わせて形成したものを例示する。ロープの断面を略円形としているのは、この断面形状に沿って、まつ毛Ｌをカールさせるためである。また、中実のロープとしているのは、仮に中空のものだと、つぶれてしまい、まつ毛Ｌをうまくカールさせることができないためである。ロット本体２の長さは、大多数の使用者におけるまぶたＥの縁の長さに幅広く対応できるように、本例では約４０〜４５ｍｍに設定されている。また、ロット本体２の太さは、使用者のまつ毛Ｌの長さに応じて直径約１〜５ｍｍのものを適宜採用することが好ましい。例えば、使用者のまつ毛Ｌの長さに応じて、小サイズを直径約２ｍｍ、中サイズを直径約３．５ｍｍ、大サイズを直径約５ｍｍと設定した３種類のものを用意することを例示する。この種類の数や、各サイズは例示であり、適宜増減することができる。
【００１６】
被覆部３は、本例では、図３に示すようにロット本体２の外周面に貼り付けられた両面テープ１０の基材により形成されており、粘着層４は、該両面テープ１０の一方の面の粘着剤により形成されている。そして、両面テープ１０の他方の面の粘着剤１０ａによって、被覆部３及び粘着層４をロット本体２に固定するようになっている。両面テープ１０の材質としては、特に限定されないが、基材がポリプロピレンフィルムからなり、粘着層がアクリル系粘着剤からなるものを例示する。この両面テープ１０としては、外面側の粘着層４の厚さが薄いものを採用することが好ましい。この粘着層４の厚さが厚い場合、つまり、使用されている粘着剤の量が多い場合は、パーマ液を塗布したときに粘着剤が両面テープ１０の基材から剥がれやすく、しかも粒状の固まりとなってまつ毛Ｌに付着することがあるからである。また、本ロット１は、後述するように粘着層４の表面に糊を塗布して使用するので、該糊により粘着性が活性化されるような材質のものを採用することが好ましい。
【００１７】
摘み５は、両面テープ１０がロット本体２の長さ方向の一端側から余分に張り出すように設けられるとともに、平らに押し潰されることにより形成されている。
【００１８】
次に、本発明のロット１の使用方法について、適宜図４を参照しながら順を追って説明する。
（１）使用者のまつ毛Ｌの長さに合わせ、ロット１のサイズを大中小のいずれかに決める。
（２）使用者のまぶたＥの丸みに合わせてロット１を湾曲させることにより形を整える。このとき、ロット本体２は柔軟性があるロープからなっているので、簡単に湾曲させることができる。
（３）糊をロット１の半周面に付け、まぶたＥに載せる（図４（ａ）参照）。このように糊を付けることにより、両面テープ１０の粘着剤の粘着性が活性化されて、まぶたＥによく付着する。
（４）残りの半周面に糊を付け、まつ毛Ｌをロットの表面に沿ってカールした状態で付着させる（図４（ｂ）及び図５参照）。このときの糊の作用については、前記（３）と同様である。
（５）パーマ液の第１液をまつ毛Ｌに付け、そのまま１３〜１７分間待つ。このパーマ液（第１液及び第２液）としては、クリーム状のものであることが好ましい。これは、液体状又はジェル状のものにすると流れて目に入ることがあるからである。
（６）前記第１液を綿棒などで取り除く。このとき、まつ毛Ｌがきれいにカールされていないときは、もう一度整えるとよい。
（７）パーマ液の第２液をまつ毛Ｌに付け、そのまま１５〜２０分間待つ。
（８）綿棒などに水を含ませて、まつ毛Ｌに付いた前記第２液をゆっくり丁寧にふき取りながら、ロット１を取り除く。
【００１９】
以上のように構成された本発明のまつ毛パーマ用ロット１によれば、ロット本体２が柔軟性のあるロープからなっているので、まぶたＥの丸みに合わせて簡単に湾曲させることができ、その形状を維持させることができる。このため、扱いが簡単で、例えば、自分ひとりで簡単にまつ毛にパーマをかけることができる。
【００２０】
また、ロープからなるロット本体２には被覆部３が設けられているので、使用時に塗布する糊やパーマ液がロット本体２に浸潤することを防止でき、糊やパーマ液の使用量を低減するとともに効果的に作用させることができる。
【００２１】
また、被覆部３の表面に粘着層４が設けられているので、被覆部３のみの場合と比べて、糊やパーマ液がなじみ易く、表面にむらなく塗布することができる。このため、まつ毛Ｌにパーマ液をむらなく作用させることができ、まつ毛Ｌのカールむらを低減することができる。
【００２２】
また、被覆部３及び粘着層４は、ロット本体２の外周面に両面テープ１０が貼り付けられることにより形成されているので、安価に構成することができ、簡単に製造することができる。
【００２３】
また、ロット本体２の長さ方向の一端側に摘み５が突設されているので、ロット１の表面に付着させたまつ毛Ｌにパーマ液等を塗るときに、ロット１が動かないように該摘み５を持って位置保持させておくことができる。また、パーマ中に、例えば、ロット１がまぶたＥから剥がれたり落ちそうになったときに、この摘み５を持ってロット１を簡単にまぶたＥに再度付着させることができる。このため、扱いが簡単で、例えば、自分ひとりで簡単にまつ毛にパーマをかけることができる。
【００２４】
また、摘み５は、両面テープ１０により形成されているので、被覆部３及び粘着層４を形成すると同時に形成することができる。このため、摘み５を設けても製造の手間がほとんど増えず、しかも別体の摘み用部材を設ける必要がないので、コストもほとんど増えない。
【００２５】
また、この種のロープや両面テープは、安価に入手することができ、しかも前述のように簡単に製造することができるので、例えば、使い捨てタイプの商品として構成することができる。
【００２６】
なお、本発明は前記実施形態に限定されるものではなく、例えば以下のように、発明の趣旨から逸脱しない範囲で適宜変更して具体化することもできる。
（１）例えば図６（ａ）に示すように、摘み５を省くこと。
（２）例えば図６（ｂ）に示すように、摘み５をロット本体２の長さ方向の両端側に設けること。
（３）例えば図６（ｃ）に示すように、両面テープ１０からなる摘み５に代えて、ロット本体２が長さ方向に延設されてなる摘み５を設けること。
（４）両面テープ１０からなる摘み５に代えて、ロット１に別体の摘み部材を取り付けること。
（５）ロット本体２を、中実の略円柱形又は略半円柱形に形成された柔軟性のある繊維不織体からなるものとすること。
（６）ロット本体２を、その外周面に樹脂製の皮膜からなる被覆部３が設けられたロープ又は繊維不織体からなるものにするとともに、その皮膜の表面に刷毛塗り、吹き付け、ドブ漬け等により粘着剤を塗布することにより、粘着層４を形成すること。
【００２７】
【発明の効果】
本発明のまつ毛パーマ用ロットは、自分ひとりで簡単にまつ毛にパーマをかけることができるという優れた効果を奏する。
【図面の簡単な説明】
【図１】本発明の一実施形態に係るのまつ毛パーマ用ロットの斜視図である。
【図２】図１のＩＩ−ＩＩ線断面図である。
【図３】同ロットの製造方法を示す図である。
【図４】同ロットの使用状態を示す側面図である。
【図５】同ロットの使用状態を示す正面図である。
【図６】同ロットの変更例を示す断面図である。
【図７】従来のまつ毛パーマ用ロットの使用状態を示す正面図である。
【符号の説明】
１　　まつ毛パーマ用ロット
２　　ロット本体
３　　被覆部
４　　粘着層
５　　摘み
１０　　両面テープ
Ｅ　　まぶた
Ｌ　　まつ毛
【図１】
2004024824.tif 000003
【図２】
2004024824.tif 000004
【図３】
2004024824.tif 000005
【図４】
2004024824.tif 000006
【図５】
2004024824.tif 000007
【図６】
2004024824.tif 000008
【図７】
2004024824.tif 000009